(57)【要約】【課題】昇降路内の狭い空間でも容易に組み立て可能なエレベータの乗りかごを提供する。【解決手段】本発明によるエレベータの乗りかご１０は、周縁に巾木受け１２ａが設けられた底面１２と、巾木受け１２ａにより支持される４側面１１と、４側面１１上に設けられた天井１３とを備えている。このうち、４側面１１は、側面（右面）１１ａ、側面（前面）１１ｂ、側面（左面）１１ｃ、および側面（後面）１１ｄの４側面からなり、各側面１１ａ乃至１１ｄは、各々底面１２の巾木受け１２ａ上に支持される複数の単位側板１５を有している。また、隣り合う単位側板１５同士は連結部２０により連結されている。この場合、連結部２０は、一方の単位側板１５と、他方の単位側板１５に各々固定された一対のベルト２１、２１と、一対のベルト２１同士を締結するバックル２２とを有している。【選択図】図３
2009286556.tif 000002
【特許請求の範囲】
【請求項１】
周縁に巾木受けが設けられた底面と、複数の側面と、天井と、を備えるエレベータの乗りかごにおいて、
各側面は底面の巾木受けに支持される複数の単位側板を有し、
隣り合う単位側板同士は連結部により互いに連結され、
連結部は、一方の単位側板と、他方の単位側板に各々固定された一対のベルトと、一対のベルト同士を締結する締結具とを有することを特徴とするエレベータの乗りかご。
【請求項２】
周縁に巾木受けが設けられた底面と、複数の側面と、天井と、を備えるエレベータの乗りかごにおいて、
複数の側面は底面の巾木受けに支持されるとともに、少なくとも１つの側面と天井は、連結部により連結され、
連結部は、当該側面と天井に各々固定された一対のベルトと、一対のベルト同士を締結する締結具とを有することを特徴とするエレベータの乗りかご。
【請求項３】
周縁に巾木受けが設けられた底面と、複数の側面と、天井と、を備えるエレベータの乗りかごにおいて、
複数の側面は底面の巾木受けに支持されるとともに、連結部により互いに連結され、
連結部は、各々の側面に固定されたベルトガイドと、複数の側面周囲に水平方向に設けられるとともに各ベルトガイドに挿入されるベルトと、ベルトの両端を締結する締結具とを有することを特徴とするエレベータの乗りかご。
【請求項４】
複数の側面周囲に設けられたベルトの途中に、ワンタッチで係合されるワンタッチジョイントが介在されることを特徴とする請求項３に記載のエレベータの乗りかご。
【請求項５】
隣り合う側面間の角部またはいずれかの側面に、複数の側面周囲に設けられたベルトを回転自在に支持する回転体を設けたことを特徴とする請求項３または４のいずれかに記載のエレベータの乗りかご。
【発明の詳細な説明】
【技術分野】
【０００１】
本発明は、エレベータの昇降路内で容易に組み立て可能なエレベータの乗りかごに関する。
【背景技術】
【０００２】
従来より、周縁に巾木受けが設けられた底面と、４側面と、天井と、を備えたエレベータの乗りかごが知られている。このうち、各側面は、エレベータの昇降路内への搬入を容易にするために、互いに締結された複数枚の単位側板を有している。従来の単位側板は幅方向両側に断面略Ｌ字状の重合部を備えており、重合部に設けた締結孔に締結具が挿入されることで、隣接する単位側板が互いに締結される。このとき、締結孔に締結具を挿入するためには、対応する締結孔を互いに完全に整合させる必要がある。
【０００３】
しかしながら、単位側板同士を締結させる作業はエレベータの昇降路内で行われるため、対応する締結孔を互いに完全に整合させる作業は困難であり、作業効率が良くなかった。
【０００４】
このような問題を解決するために、幅方向両側に断面略Ｌ字状の重合部を有し、各重合部には位置決め孔と締結孔を設けた単位側板が知られている（特許文献１参照）。この位置決め孔に棒部材を挿入することにより、棒部材外周面と位置決め孔内周面との間の摩擦力により隣接する単位側板が互いに固定され、対応する締結穴が整合される。その後、重合部に設けた締結孔に締結具を挿入して２つの単位側板が互いに締結される。
【特許文献１】特開平４−１０１９８７号公報
【０００５】
しかしながら、特許文献１に示す従来技術においても、位置決め孔に棒部材を挿入する作業を行う場合、ハンマなどの工具が必要であり、依然として、昇降路内の狭い空間で行うことは困難であった。
【発明の開示】
【発明が解決しようとする課題】
【０００６】
本発明は、このような点を考慮してなされたものであり、昇降路内の狭い空間でも容易に組み立て可能なエレベータの乗りかごを提供することを目的とする。
【課題を解決するための手段】
【０００７】
本発明は、周縁に巾木受けが設けられた底面と、複数の側面と、天井と、を備えるエレベータの乗りかごにおいて、各側面は底面の巾木受けに支持される複数の単位側板を有し、隣り合う単位側板同士は連結部により互いに連結され、連結部は、一方の単位側板と、他方の単位側板に各々固定された一対のベルトと、一対のベルト同士を締結する締結具とを有することを特徴とするエレベータの乗りかごである。
【０００８】
本発明は、周縁に巾木受けが設けられた底面と、複数の側面と、天井と、を備えるエレベータの乗りかごにおいて、複数の側面は底面の巾木受けに支持されるとともに、少なくとも１つの側面と天井は、連結部により連結され、連結部は、当該側面と天井に各々固定された一対のベルトと、一対のベルト同士を締結する締結具とを有することを特徴とするエレベータの乗りかごである。
【０００９】
本発明は、周縁に巾木受けが設けられた底面と、複数の側面と、天井と、を備えるエレベータの乗りかごにおいて、複数の側面は底面の巾木受けに支持されるとともに、連結部により互いに連結され、連結部は、各々の側面に固定されたベルトガイドと、複数の側面周囲に水平方向に設けられるとともに各ベルトガイドに挿入されるベルトと、ベルトの両端を締結する締結具とを有することを特徴とするエレベータの乗りかごである。
【００１０】
本発明は、複数の側面周囲に設けられたベルトの途中に、ワンタッチで係合されるワンタッチジョイントが介在されることを特徴とするエレベータの乗りかごである。
【００１１】
本発明は、隣り合う側面間の角部またはいずれかの側面に、複数の側面周囲に設けられたベルトを回転自在に支持する回転体を設けたことを特徴とするエレベータの乗りかごである。
【発明の効果】
【００１２】
本発明によれば、隣り合う単位側板同士を連結する際、締結具によりベルトを緊張させることにより、単位側板同士を堅固に連結することができる。このため、昇降路内の狭い空間でも容易にエレベータの乗りかごを組み立てることができる。
また本発明によれば、天井と側面を連結する際、締結具によりベルトを緊張させることにより、天井と側面を堅固に連結することができる。このため、昇降路内の狭い空間でも容易にエレベータの乗りかごを組み立てることができる。
さらに本発明によれば、複数の側面を連結する際、締結具によりベルトを緊張させることにより、複数の側面を堅固に連結することができる。このため、昇降路内の狭い空間でも容易にエレベータの乗りかごを組み立てることができる。
【発明を実施するための形態】
【００１３】
第１の実施の形態
以下、図面を参照して、本発明の第１の実施の形態について説明する。ここで、図１乃至図４は、本発明の実施の形態におけるエレベータの乗りかごを示す図である。このうち図１は、本発明の実施の形態において隣り合う単位側板同士を連結した状態を示す図であり、図２は、本発明の実施の形態における締結方法を示す図である。図３は、本発明の実施の形態においてエレベータの乗りかごの全体構成から天井を便宜的に取り除いた状態を示す図である。図４は、本発明の実施の形態におけるエレベータの乗りかごの全体構成を示す図である。
【００１４】
まず、図３によりエレベータの乗りかご１０の全体構成について説明する。図３に示すようにエレベータの乗りかご１０は、周縁に巾木受け１２ａが設けられた底面１２と、巾木受け１２ａにより支持される複数、例えば４つの側面１１（以下、４側面１１）と、４側面１１上に設けられた天井１３とを備えている。このうち、４側面１１は、側面（右面）１１ａ、側面（前面）１１ｂ、側面（左面）１１ｃ、および側面（後面）１１ｄからなり、各側面１１ａ乃至１１ｄは、各々底面１２の巾木受け１２ａ上に支持される複数の単位側板１５を有している。また、隣り合う単位側板１５同士は後述する連結部２０により連結されている。この場合、連結部２０は、一方の単位側板１５と、他方の単位側板１５に各々固定された一対のベルト２１、２１と、一対のベルト２１同士を締結するバックル２２とを有している。
【００１５】
次に本発明による隣り合う単位側板１５同士を連結する連結部２０について、図１により更に説明する。
【００１６】
図１に示すように各単位側板１５は、側板用枠体１５ａと、側板用枠体１５ａに保持された側板用板体１５ｂとを有している。また各単位側板１５の側板用枠体１５ａの上面２９、および側板用板体１５ｂの上方部および下方部には各々ベルト２１が固定されている。
【００１７】
同様に隣接する単位側板１５の側板用枠体１５ａの上面２９、および側板用板体１５ｂの上方部および下方部にも各々ベルト２１が固定されている。
【００１８】
そして２つの単位側板１５を隣り合わせて配置するとともに、一方の単位側板１５のベルト２１と、他方の単位側板１５の対応するベルト２１をバックル２２により締結する。
【００１９】
すなわち、図１に示す側においては、２つの単位側板１５を隣り合わせて配置し、側板用枠体１５ａの上面２９に設けられたベルト２１同士をバックル２２により締結し、側板用板体１５ｂの上方部および下方部に設けられたベルト２１同士をバックル２２により締結することにより、合計３箇所において２つの単位側板１５が連結されている。
【００２０】
次に本発明による側面１１と天井１３の連結部について、図４を用いて説明する。
【００２１】
図４に示すように、乗りかご１０の側面１１のうち側面（右面）１１ａおよび側面（左面）１１ｃと天井１３は、連結部２０により合計４箇所で連結されている。各連結部２０は、側面（右面）１１ａおよび側面（左面）１１ｃに固定されたベルト２１と、これら側面（右面）１１ａおよび側面（左面）１１ｃに固定されたベルト２１に対応して設けられ天井１３上に固定されたベルト２１と、互いに対応する一対のベルト２１同士を締結するバックル（締結具）２２とを有している。
【００２２】
次に、このような構成からなる本実施の形態の作用について説明する。
【００２３】
まず図３に示すように、側板用枠体１５ａと側板用板体１５ｂからなる単位側板１５を２枚準備し、これら単位側板１５を底面１２の巾木受け１２ａ上に互いに隣り合うよう載置し、２つの単位側板１５を連結部２０により合計３箇所で連結する。次に２つの単位側板１５を連結部２０により連結する作用について詳述する。すなわち図２に示すように、連結部２０のうち一方のベルト２１をバックル２２の一方に挿入し、他方のベルト２１をバックル２２の他方に挿入し、これら２つのベルト２１を引っ張る。このことにより、底面１２の巾木受け１２ａ上において、一対の隣り合う単位側板１５同士が連結部２０により連結される。このような作業を繰り返すことにより、底面１２の巾木受け１２ａ上に多数の単位側板１５を連続して組み立てることができ、このようにして図３に示す４つの側面１１が得られる。
【００２４】
次に、図４に示すように、ベルト２１を有する天井１３を準備し、４側面１１の上に載置し、側面（右面）１１ａと天井１３とを連結部２０により２箇所で連結し、側面（左面）１１ｃと天井１３とを連結部２０により２箇所で連結する。なお連結部２０を用いた側面（右面）１１ａと天井１３、および側面（左面）１１ｃと天井１３との連結方法は、側面（右面）１１ａ、側面（前面）１１ｂ、側面（左面）１１ｃ、側面（後面）１１ｄを製造する連結方法と略同一である。
【００２５】
このように本実施の形態によれば、隣り合う一対の単位側板１５を連結部２０により連結させる場合、単位側板１５に固定されたベルト２１をバックル２２に入れて引っ張るだけで、一対の単位側板１５を互いに連結することができる。このような連結作業においては、ハンマその他の工具が不要であるので、エレベータの昇降路内の狭い空間においても容易に連結作業をおこなうことができる。また、ベルト２１が十分な長さを有していれば、連結作業前に隣り合う一対の単位側板１５が互いに接触する面を完全に整合させなくても、容易に一対のベルト２１をバックル２２に挿入することができ、連結作業が容易となる。
【００２６】
また本実施の形態によれば、側面（右面）１１ａおよび側面（左面）１１ｃと、天井１３とを連結させる場合、側面（右面）１１ａおよび側面（左面）１１ｃと、天井１３とにそれぞれ固定されたベルト２１をバックル２２に挿入して引っ張るだけで、側面（右面）１１ａおよび側面（左面）１１ｃと、天井１３を容易に連結することができる。このような連結作業においては、ハンマその他の工具が不要であるので、エレベータの昇降路内の狭い空間においても容易に連結作業をおこなうことができる。また、ベルト２１が十分な長さを有していれば、連結作業前に側面（右面）１１ａおよび側面（左面）１１ｃと、天井１３とが互いに接触する面を完全に整合させなくても、容易に一対のベルト２１をバックル２２に挿入することができ、連結作業が容易となる。
【００２７】
なお、本実施の形態においては、上述したように、締結具としてバックル２２を用いた例を示したが、これに限らず、締結具として、ワンタッチジョイントなど、ベルトをワンタッチで締結する締結具を用いることができる。
【００２８】
また、本実施の形態において、図１に示すように、隣り合う単位側板１５同士を、単位側板１１の上面で１箇所、単位側板１１の側面で２箇所、合計３箇所でベルト２１とバックル２２により連結する例を示したが、これに限られず、隣り合う単位側板１５同士を少なくとも一箇所において連結してもよい。
【００２９】
また、本実施の形態において、図４に示すように、天井１３は、側面（右面）１１ａとの間に２箇所、側面（左面）１１ｃとの間に２箇所、合計４箇所で側面１１とベルト２１とバックル２２により連結する例を示したが、これに限られず、天井１３といずれかの側面１１を少なくとも１箇所において連結してもよい。
【００３０】
第２の実施の形態
以下、図５乃至図９を参照して、本発明の第２の実施の形態について説明する。ここで、図５乃至図９は、本発明の実施の形態におけるエレベータの乗りかごを示す図である。このうち図５は、本発明の実施の形態において４側面を互いに連結した状態を示す図であり、図６は、本発明の実施の形態における締結方法を示す図である。図７は、本発明の実施の形態においてワンタッチジョイントによる４側面の締結方法を示す図であり、図８は、本発明の実施の形態においてワンタッチジョイントによる締結方法を示す図である。図９は、本発明の実施の形態において回転体を設けたエレベータの乗りかごを示す図である。
【００３１】
図５乃至図９に示す第２の実施の形態は、各単位側板１５を、一対のベルト２１およびバックル２２からなる連結部２０で連結する代わりに、４側面１１を各々の側面１１に固定されたベルトガイドと、各ベルトガイドに挿入されるベルトとからなる連結部で連結する点が異なるのみであり、他の構成は、図１乃至図４に示す第１の実施の形態と略同一である。なお、図５乃至図９に示す第２の実施の形態において、図１乃至図４に示す第１の実施の形態と同一部分には同一符号を付して詳細な説明は省略する。
【００３２】
図５および図６に示すように、エレベータの乗りかご１０は、周縁に巾木受け１２ａが設けられた底面１２と、巾木受け１２ａにより支持される４側面１１と、４側面１１上に設けられた天井１３とを備えている。このうち、４側面１１は、側面（右面）１１ａ、側面（前面）１１ｂ、側面（左面）１１ｃ、および側面（後面）１１ｄからなっている。また側面（右面）１１ａの上方部および下方部に、それぞれ１つのベルトガイド２３が固定されている。また、側面（前面）１１ｂ、側面（左面）１１ｃ、側面（後面）１１ｄの上方部および下方部に、それぞれ２つのベルトガイド２３が固定されている。また、４側面１１は、側面（右面）１１ａ、側面（前面）１１ｂ、側面（左面）１１ｃ、側面（後面）１１ｄの上方部および下方部において、４側面１１周囲に水平方向に設けられた２本のベルト２５により連結されている。各ベルト２５は、ベルトガイド２３に挿入され、各ベルト２５の両端は、バックル２８により締結されている。この場合、４側面１１周囲に設けられたベルト２５と、側面（右面）１１ａ、側面（前面）１１ｂ、側面（左面）１１ｃ、側面（後面）１１ｄに設けられたベルトガイド２３と、ベルト２５両端を締結するバックル２８とにより連結部２４が構成されている。
【００３３】
次に、このような構成からなる本実施の形態の作用について説明する。
【００３４】
まず図５に示すように、４側面１１を底面１２の巾木受け１２ａ上に載置し、２本のベルト２５を４側面１１の上方部および下方部に設けられたベルトガイド２３に各々挿入し、４側面１１の周囲を一周させる。次に４側面１１を連結部２４により連結する。すなわち図６に示すように、連結部２４のうちベルト２５の一端をバックル２８の一方に挿入し、ベルト２５の他端をバックル２８の他方に挿入し、これらベルト２５の両端を引っ張る。このことにより、底面１２の巾木受け１２ａ上において、４側面１１が互いに連結部２４により連結される。
【００３５】
このように本実施の形態によれば、４側面１１を連結部２４により連結させる場合、４側面１１に固定されたベルトガイド２３にベルト２５を挿入し、４側面１１の周囲を一周させた後、ベルト２５をバックル２８に入れて引っ張るだけで、４側面１１を互いに連結することができる。このような連結作業においては、ハンマその他の工具が不要であるので、エレベータの昇降路内の狭い空間においても容易に連結作業をおこなうことができる。
【００３６】
なお、本実施の形態において、図５に示すように、４側面１１は、上方部および下方部、合計２箇所でベルト２５とバックル２８により連結する例を示したが、これに限らず、４側面１１を少なくとも１箇所において連結してもよい。
【００３７】
次に図７および図８により、本発明の第２の実施の形態の変形例について説明する。図７および図８に示すように、各ベルト２５の途中に、ワンタッチで係合されるワンタッチジョイント２６を介在させてもよい。
【００３８】
図７および図８に示すように、４側面１１周囲の上方部および下方部に設けられたベルトガイド２３にベルト２５が挿入され、各ベルト２５の両端はバックル２８により締結されている。また各ベルト２５には、その途中にワンタッチで係合されるワンタッチジョイント２６が介在されている。図８に示すように、ワンタッチジョイント２６は、ベルト２５の一端に設けられたワンタッチジョイント被挿入部２６ａと、ベルト２５の他端に設けられたワンタッチジョイント挿入部２６ｂとを有している。
【００３９】
次に４側面１１をワンタッチジョイント２６により連結する作用について述べる。すなわち図７および図８に示すように、各々のベルト２５の一端をバックル２８の一方に挿入し、ベルト２５の他端をバックル２８の他方に挿入して締結する。その後、各々のベルト２５においてワンタッチジョイント挿入部２６ｂをワンタッチジョイント被挿入部２６ａに挿入する。このことにより、各ベルト２５を容易に係合して、底面１２の巾木受け１２ａ上において、４側面１１を互いに連結することができる。
【００４０】
このように本実施の形態によれば、各ベルト２５において、ワンタッチジョイント２６のワンタッチジョイント挿入部２６ｂをワンタッチジョイント被挿入部２６ａに挿入するだけで、ベルト２５を容易に係合し、４側面１１を互いに連結することができる。このような連結作業においては、ワンタッチでベルト２５を係合できるので、エレベータの昇降路内の狭い空間においても容易に連結作業をおこなうことができる。
【００４１】
次に図９により本発明の第２の実施の形態の他の変形例について説明する。すなわち、図５および図６に示す第２の実施の形態において、４側面周囲に設けられたベルト２５を回転自在に支持するため、図９に示すように、側面（右面）１１ａと側面（前面）１１ｂの間の角部および側面（前面）１１ｂと側面（左面）１１ｃの間の角部に、４側面１１周囲に設けられたベルト２５を回転自在に支持する回転体２７を設けてもよい。
【００４２】
図９において、２本のベルト２５を４側面１１の上方部および下方部に設けられたベルトガイド２３に各々挿入し、ベルト２５を４側面１１の角部に設けられた回転体２７に各々接触させながら、４側面１１の周囲を一周させる。次に、各々のベルト２５の一端をバックル２８の一方に挿入し、ベルト２５の他端をバックル２８の他方に挿入し、これらベルト２５の両端を引っ張る。このことにより、底面１２の巾木受け１２ａ上において、４側面１１が互いに連結される。
【００４３】
このように本実施の形態によれば、各ベルト２５を回転体２７を介して支持することにより、ベルト２５を４側面１１の周囲において円滑に移動させることができる。これにより、小さな力でベルト２５をバックル２８により締結することができ、エレベータの昇降路内の狭い空間においても容易に連結作業をおこなうことができる。
【００４４】
なお、図９に示す回転体２７を、図７および図８に示す変形例において、側面（右面）１１ａと側面（前面）１１ｂの間の角部および側面（前面）１１ｂと側面（左面）１１ｃの間の角部に設けられていてもよい。この場合、小さな力でベルト２５をバックル２８又はワンタッチジョイント２６により締結することができる。
【図面の簡単な説明】
【００４５】
【図１】図１は、本発明の第１の実施の形態において隣り合う単位側板同士を連結した状態を示す図。
【図２】図２は、本発明の第１の実施の形態における締結方法を示す図。
【図３】図３は、本発明の第１の実施の形態において、エレベータの乗りかごの全体構成から天井を便宜的に取り除いた状態を示す図。
【図４】図４は、本発明の第１の実施の形態におけるエレベータの乗りかごの全体構成を示す図。
【図５】図５は、本発明の第２の実施の形態において、４側面を互いに連結した状態を示す図。
【図６】図６は、本発明の第２の実施の形態における締結方法を示す図。
【図７】図７は、本発明の第２の実施の形態において、ワンタッチジョイントによる４側面の締結方法を行なう変形例を示す図。
【図８】図８は、本発明の第２の実施の形態において、ワンタッチジョイントによる締結方法を行なう変形例を示す図。
【図９】図９は、本発明の第２の実施の形態において、回転体を設けた他の変形例を示す図。
【符号の説明】
【００４６】
１０    乗りかご
１１    側面
１１ａ  側面（右面）
１１ｂ  側面（前面）
１１ｃ  側面（左面）
１１ｄ  側面（後面）
１２    底面
１２ａ  巾木受け
１３    天井
１５    単位側板
１５ａ  側板用枠体
１５ｂ  側板用板体
２０    連結部
２１    ベルト
２２    バックル
２３    ベルトガイド
２４    連結部
２５    ベルト
２６    ワンタッチジョイント
２７    回転体
２８    バックル
２９    側板用枠体の上面
【図１】
2009286556.tif 000003
【図２】
2009286556.tif 000004
【図３】
2009286556.tif 000005
【図４】
2009286556.tif 000006
【図５】
2009286556.tif 000007
【図６】
2009286556.tif 000008
【図７】
2009286556.tif 000009
【図８】
2009286556.tif 000010
【図９】
2009286556.tif 000011